(57)【特許請求の範囲】
【請求項１】
縦型のケーシング内に上部領域と下部領域とを形成し、
上部領域に第１吹出口を設け、
下部領域に第２吹出口を設け、
上部領域内に第１ファンと、当該第１ファンを駆動させる第１モータとを設け、
下部領域内に第２ファンと、当該第２ファンを駆動させる第２モータと、前記第２吹出口と第２ファンとの間に電気ヒータとを設け、
電気ヒータへの通電のＯＮ／ＯＦＦを切り替える切換スイッチと、電気ヒータへの通電がＯＮの場合に第１モータへの通電をＯＦＦにすると共に第２モータへの通電をＯＮにし、電気ヒータへの通電がＯＦＦの場合に第１モータ及び第２モータの通電をＯＮにする制御装置とを備え、
電気ヒータへの通電がＯＮのときは第２ファンの駆動により第２吹出口から加熱空気を吹き出させ、電気ヒータへの通電がＯＦＦのときは第１ファン及び第２ファンの駆動により第１吹出口及び第２吹出口から常温空気を吹き出させるようにした
ことを特徴とする縦型空調機。
【請求項２】
上部領域に設けた第１モータがＤＣモータであり、第２モータがＡＣモータであることを特徴とする請求項１に記載の縦型空調機。
【請求項３】
ケーシングの上部に液晶表示部を設け、常温空気吹き出し時と加熱空気吹き出し時とで液晶表示部の発光色が変化することを特徴とする請求項１又は２に記載の縦型空調機。
【発明の詳細な説明】
【技術分野】
【０００１】
本発明は、縦型の空調機に関し、特に暖房時には加熱空気を吹き出す温風機となり、非暖房時には常温空気を吹き出す扇風機となる空調機に関する。
【背景技術】
【０００２】
従来より、下記特許文献１に示される縦型電気温風機が知られている。すなわち、下部より上部の断面積が順次小となる形状で後部に吸込口を設け、前部には狭角度に開口した吹出口を設け、高さをほぼ“人のひざ”の高さに形成した本体の内部にファンモーター及びセラミックヒーターを設け、吹出口には可動自在に風向変更用のルーバーを設けた構成の縦型電気温風機であって、安定性が良く足元から腰まで生活姿勢に合った暖房ができるものである。
【先行技術文献】
【特許文献】
【０００３】
【特許文献１】特開平８−３３４２６４号公報
【発明の概要】
【発明が解決しようとする課題】
【０００４】
しかしながら、上記特許文献１に示される縦型電気温風機は、一カ所の吹出口から加熱空気を吹き出すのみであるため、暖房が不要な季節には邪魔になるものであった。また、常温風を吹き出す扇風機が必要な場合には、前記の温風機とは別に扇風機を用意しておく必要があり、不経済であった。
【０００５】
なお、ヒータ電源のＯＮ／ＯＦＦを切り替えることにより温風機と扇風機とを兼ね備えたものも見られるが、吹き出しの位置や吹き出し風量が変化するものは開発されていない。すなわち、加熱空気は上昇するので空間内の下部、例えば床から５０ｃｍ以下の箇所に吹き出すのが熱効率がよく、扇風機は風量を多くすると共に床から１５０ｃｍ以下の箇所に吹き出すのが送風効果の面で好適であるが、そのような装置は開発されていない。
【０００６】
そこで、本発明者は、上記の課題を解決するために鋭意研究を重ね、暖房が必要な季節のみならず暖房が不要な季節には扇風機として使用でき、かつ、暖房が必要な季節における温風機は加熱空気が下部から吹き出し、暖房が不要な季節における扇風機は常温空気が装置の上下から吹き出して風量を増大させる縦型空調機を開発した。
【課題を解決するための手段】
【０００７】
本発明の請求項１に係る縦型空調機（以下、単に「空調機」という。）は、縦型のケーシング内に上部領域と下部領域とを形成し、上部領域に第１吹出口を設け、下部領域に第２吹出口を設け、上部領域内に第１ファンと、当該第１ファンを駆動させる第１モータとを設け、下部領域内に第２ファンと、当該第２ファンを駆動させる第２モータと、前記第２吹出口と第２ファンとの間に電気ヒータとを設け、電気ヒータへの通電のＯＮ／ＯＦＦを切り替える切換スイッチと、電気ヒータへの通電がＯＮの場合に第１モータへの通電をＯＦＦにすると共に第２モータへの通電をＯＮにし、電気ヒータへの通電がＯＦＦの場合に第１モータ及び第２モータの通電をＯＮにする制御装置とを備え、電気ヒータへの通電がＯＮのときは第２ファンの駆動により第２吹出口から加熱空気を吹き出させ、電気ヒータへの通電がＯＦＦのときは第１ファン及び第２ファンの駆動により第１吹出口及び第２吹出口から常温空気を吹き出させるようにしたことを特徴とするものである。
【０００８】
本発明の請求項２に係る空調機は、上記請求項１に記載の構成に加え、上部領域に設けた第１モータがＤＣモータであり、第２モータがＡＣモータであることを特徴とするものである。
【０００９】
本発明の請求項３に係る空調機は、上記請求項１又は２に記載の構成に加え、ケーシングの上部に液晶表示部を設け、常温空気吹き出し時と加熱空気吹き出し時とで液晶表示部の発光色が変化することを特徴とするものである。
【発明の効果】
【００１０】
本発明に係る空調機は、暖房が必要な季節には温風機として使用でき、暖房が不要な季節には扇風機として使用できるので、温風機と扇風機の２つの装置を用意しておく必要がない。また、暖房が必要な季節における温風機として使用する場合は加熱空気が下部から吹き出し、暖房が不要な季節における扇風機として使用する場合は常温空気が装置の上下から吹き出て風量を増大させるので、熱効率に優れ、送風効果が発揮できるものである。
【００１１】
また、扇風機として作動する上部領域の第１モータとしてＤＣモータを採用した場合には、超微風から強風まで多段階に風量を調整できる利点がある。一方、温風機として作動する下部領域の第２モータは、特に多段階に風量を調整する必要がないので、ＤＣモータより安価なＡＣモータを採用し、コストダウンを図っている。
【００１２】
さらに、ケーシングの上部に液晶表示部を設け、常温空気吹き出し時と加熱空気吹き出し時とで液晶表示部の発光色が変化する構成とした場合には、動作機能が視覚的にわかりやすい利点がある。
【図面の簡単な説明】
【００１３】
【図１】本発明に係る空調機の概略正面図である。
【図２】図１のII−II線概略断面図である。
【図３】本発明に係る空調機の概略回路図である。
【図４】本発明に係る空調機の概略回路図の変更例である。
【発明を実施するための形態】
【００１４】
次に本発明の好適な実施例を添付の図面に基づいて詳細に説明する。
【実施例１】
【００１５】
図１及び図２に示すＡは空調機を示す。空調機Ａは、主としてケーシング１０とケーシング１０内に内蔵される構成部品とからなる。
【００１６】
ケーシング１０は、縦長の直方体形状をなし、縦型に設置されるものであって、各図に示すように、ケーシング１０は上部領域２０と下部領域３０とからなり、その前面部には、横長のスリットを縦方向に複数並列して構成した吹出口が形成され、上部領域２０側は第１吹出口となる送風用吹出口２１となり、下部領域３０側は第２吹出口となる温風兼送風用吹出口３１となる。
【００１７】
そして、上部領域２０内には第１ファンである送風ファン２２が設けられており、当該送風ファン２２を駆動させる第１モータである送風用モータ２３が、送風ファン２２の下方に設けられている。前記送風ファン２２としてはシロッコ型ファンを採用し、送風用モータ２３としてはＤＣモータを採用している。このように送風ファン２２としてシロッコ型ファンを採用すると、プロペラファンと比較して、同じ風量であれば電気代が安く、また、ファンが回転することにより生じる音が静かである。また、送風用モータ２３としてＤＣモータを採用すると、回転の制御がし易く、したがって多段階に風量を調整することができる。なお、送風ファン２２にプロペラファンを採用し、送風用モータ２３にＡＣモータを採用してもよい。また、送風用吹出口２１に常温空気の吹き出しを誘導するために送風ファン２２を縦方向に一周して取り囲む風向ガイド筒２５が取り付けられている。
【００１８】
上記の構成により、送風用モータ２３が駆動すると送風ファン２２が回転し、送風用吹出口２１から常温空気（室内温度と同程度の温度の空気）が吹き出すようになっている。
【００１９】
下部領域３０内には第２ファンである温風兼送風ファン３２が設けられており、当該温風兼送風ファン３２を駆動させる第２モータである温風兼送風用モータ３３が温風兼送風ファン３２の下方に設けられている。前記温風兼送風ファン３２としてはシロッコ型ファンを採用し、温風兼送風用モータ３３としてはＡＣモータを採用している。このように温風兼送風ファン３２としてシロッコ型ファンを採用すると、プロペラファンと比較して、同じ風量であれば電気代が安く、また、ファンが回転することにより生じる音が静かである。また、温風兼送風用モータ３３は、特に多段階に風量を調整する必要がないので、ＡＣモータを採用している。なお、温風兼送風ファン３２にプロペラファンを採用し、温風兼送風用モータ３３にＤＣモータを採用してもよい。そして、温風兼送風ファン３２と温風兼送風用吹出口３１との間に電気ヒータであるセラミックヒータ３４が設置されている。なお、電気ヒータとしてセラミックヒータに限られるものではない。また、温風兼送風用吹出口３１に加熱空気又は常温空気の吹き出しを誘導するために温風兼送風ファン３２を縦方向に一周して取り囲む風向ガイド筒３５が取り付けられている。
【００２０】
上記の構成により、セラミックヒータ３４に通電して加熱し、温風兼送風用モータ３３が駆動すると、温風兼送風ファン３２が回転し、温風兼送風用吹出口３１から加熱空気が吹き出すようになっている。
【００２１】
また、空調機Ａのケーシング１０には、リモートコントローラＢの受け台Ａ１が備えられており、リモートコントローラＢには、空調機Ａの電源を入れるスイッチボタン、セラミックヒータ３４への通電のＯＮ／ＯＦＦを切り替える切換スイッチボタン、首振り動作を行わせるスイッチボタン、風量を切り換えるスイッチボタンの他、各種のスイッチボタン（不図示）が設けられている。
【００２２】
そして、電源スイッチボタンをＯＮにしてセラミックヒータ３４への通電をＯＮにしたときには、送風用モータ２３の通電がＯＦＦとなり、温風兼送風用モータ３３の通電がＯＮになり、セラミックヒータ３４への通電をＯＦＦにしたときには、送風用モータ２３の通電及び温風兼送風用モータ３３の通電がいずれもＯＮになる制御装置が組み込まれている。したがって、セラミックヒータ３４への通電をＯＮにしたときには、温風兼送風用吹出口３１から加熱空気が吹き出し、送風用吹出口２１からは常温空気が吹き出し、セラミックヒータ３４への通電をＯＦＦにしたときには、送風用吹出口２１及び温風兼送風用吹出口３１のいずれからも常温空気が吹き出すようになっている。
【００２３】
図中の４０は、空調機Ａの基台であり、基台４０に対して空調機Ａは垂直方向を軸として回転可能になっており、不図示のモータの駆動により基台４０に対して空調機Ａが一定の角度で往復回転、いわゆる首振り動作を行うようになっている。
【００２４】
図１における５０は液晶表示部であり、当該液晶表示部５０は、セラミックヒータ３４への通電がＯＮのときには、加熱空気が吹き出て暖房中であることを示すために暖色、例えばオレンジ色で表示するようになっている。表示内容としては、加温空気が吹き出ていることを示す「ＨＯＴ」の表示、吹き出し風量を示す「強」「弱」の表示、首振り角度を示す「広」「狭」の表示等がある。また、当該液晶表示部５０は、セラミックヒータ３４への通電がＯＦＦの時には、常温空気が吹き出て扇風機の役割を果たしていることを示すために寒色、例えばブルー色で表示するようになっている。表示内容としては、常温空気が吹き出ていることを示す「ＣＯＯＬ」の表示、吹き出し風量を細かく段階的に示す棒グラフのデジタル表示、首振り角度を示す「広」「狭」の表示、設定時間で空調機Ａが停止するタイマーの数値表示等がある。このように構成することにより、空調機Ａがどのような状態に設定されているかを一目で確認することができる。なお、上記のような表示は液晶表示部によるものに限られず、点灯式や点滅式等のランプ表示で行ってもよい。
【００２５】
また、前記液晶表示部５０の下部には、人感センサー６０が設けられており、人の気配を検知すれば空調機Ａが作動できる設定となり、人の気配を検知しない場合には空調機Ａの電源がＯＦＦになるようになっていて、省エネ効果及び安全効果がある。人感センサー６０としては、人体から発せられる熱に反応するタイプ、センサーから赤外線が出され、人が帯びている静電気に反応するタイプ、赤外線と超音波のセンサーを組み合わせて誤作動をなくしているタイプ等を採用することができる。
【００２６】
上記構成の空調機Ａには、図３に示す回路が組み込まれており、上記各種の作動が達成できるようになっている。
【００２７】
図３において、ａは商用電源のコンセントに差し込む差込プラグである。ｂは空調機Ａが転倒したときに安全のために電源を遮断する転倒スイッチである。ｃは電源回路であって、交流を直流に変換する。リモートコントローラ受信部ｄはリモートコントローラＢからの発信信号を受信すると、スイッチ基板ｅが作動して電源スイッチｆがＯＮになると共に人感センサ−６０、液晶表示部５０及び運転ランプｇに通電される。
【００２８】
リモートコントローラＢから温風機として使用する信号をリモートコントローラ受信部ｄが受信すると、温風兼送風ファン３２を駆動させる交流の温風兼送風用モータ３３に通電されて回転し、並列に配した２基のセラミックヒータ３４に通電されて加熱し、これによって温風兼送風用吹出口３１から加熱空気が吹き出される。このセラミックヒータ３４にはサーモスタットｈ及び温度ヒューズｉが直列に配されていて、セラミックヒータ３４がサーモスタットｈの設定温度以上になるとサーモスタットｈによりセラミックヒータ３４への通電が遮断され、仮にサーモスタットｈに異常が発生してセラミックヒータ３４が異常加熱した場合には温度ヒューズｉによりセラミックヒータ３４への通電が確実に遮断されるようになっている。また、リモートコントローラＢから首振り動作をする首振り切換信号を発信すると、リモートコントローラ受信部ｄが受信して首振り切換スイッチｊを作動させ、前記首振り切換信号の種類により広角又は狭角が選択されると共に、首振りモータｋに通電されて回転し、首振り動作が開始される。
【００２９】
リモートコントローラＢから扇風機として使用する信号をリモートコントローラ受信部ｄが受信すると、セラミックヒータ３４への通電が遮断され、温風兼送風ファン３２を駆動させる交流の温風兼送風用モータ３３及び送風ファン２２を駆動させる直流の送風用モータ２３に通電されて回転し、温風兼送風用吹出口３１及び送風用吹出口２１から常温空気が吹き出される。首振り動作については前述したとおりである。
【００３０】
液晶表示部５０には、リモートコントロールＢからの発信信号に応じて、前述した液晶表示部５０に関する説明のような種々の表示がなされる。
【００３１】
［回路の変更例］
図４は回路の変更例を示す。なお、図３の回路で説明したパーツと同一のパーツは図４において図３と同一符号を付した。図４の回路は、実施例１において採用した送風ファン２２を駆動させる直流の送風用モータ２３に代えて交流の送風用モータ２３’を採用し、実施例１において採用した液晶表示部５０に代えてケーシング１０の側面や上面に設けた表示ランプ５０’を採用したものである。なお、表示ランプ５０’は、これを複数設けてリモートコントローラＢからの種々の信号に対応して点灯するようにしてもよい。
【００３２】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３３】
Ａ…………空調機
Ａ１………リモートコントローラの受け台
Ｂ…………リモートコントローラ
１０………ケーシング
２０………上部領域
２１………送風用吹出口
２２………送風ファン
２３………送風用モータ（直流）
２３’……送風用モータ（交流）
２５………風向ガイド筒
３０………下部領域
３１………温風兼送風用吹出口
３２………温風兼送風ファン
３３………温風兼送風用モータ（交流）
３４………セラミックヒータ
３５………風向ガイド筒
４０………空調機の基台
５０………液晶表示部
５０’……表示ランプ
６０………人感センサー
ａ…………差込プラグ
ｂ…………転倒スイッチ
ｃ…………電源回路
ｄ…………リモートコントローラ受信部
ｅ…………スイッチ基板
ｆ…………電源スイッチ
ｇ…………運転ランプ
ｈ…………サーモスタット
ｉ…………温度ヒューズ
ｊ…………首振り切換スイッチ
ｋ…………首振りモータ
【要約】
【課題】本発明は、暖房が必要な季節のみならず暖房が不要な季節には扇風機として使用でき、かつ、暖房が必要な季節における温風機は加熱空気が下部から吹き出し、暖房が不要な季節における扇風機は常温空気が装置の上下から吹き出して風量を増大させる縦型空調機を提供することを目的とする。
【解決手段】本発明に係る縦型空調機Ａは、縦型のケーシング１０内に上部領域２０と下部領域３０とを形成し、上部領域に第１吹出口２１、第１ファン２２及び当該ファンを駆動する第１モータ（直流）２３を設け、下部領域に第２吹出口３１、第２ファン３２、当該ファンを駆動する第２モータ（交流）３３及び第２吹出口と第２ファンとの間に電気ヒータ３４を設け、電気ヒータへの通電がＯＮのときは第２吹出口から加熱空気を吹き出させ、電気ヒータへの通電がＯＦＦのときは第１吹出口及び第２吹出口から常温空気を吹き出させるようにしたことを特徴とするものである。
【選択図】        図２【図１】
0005638715.tif 000002
【図２】
0005638715.tif 000003
【図３】
0005638715.tif 000004
【図４】
0005638715.tif 000005